(57)【要約】【課題】本発明はエアフィルタに関するもので、複数の種類のプリーツからなるエアフィルタのコストを低減することを目的とするものである。【解決手段】そしてこの目的を達成するために本発明は、第１のプリーツ２と、２つの第２のプリーツ３とから形成し、第１のプリーツ２をプリーツ形状に保持する第１の形状保持手段４を設け、この第１の形状保持手段４は第１のプリーツ２の表面に備え、第２のプリーツ３をプリーツ形状に保持する第２の形状保持手段８を設け、この第２の形状保持手段８は第２のプリーツの通風路端面部７の両側に備え、第１のプリーツの通風路端面部１２の両側と２つの第２のプリーツ３の第２の形状保持手段８とを連結する連結手段１４を設け、第１のプリーツの側面部１６および２つの第２のプリーツの側面部１７の両側を固定する固定手段１８を備えたものである。【選択図】図１
2010214269.tif 000002
【特許請求の範囲】
【請求項１】
第１のプリーツと、２つの第２のプリーツとから形成し、前記第１のプリーツをプリーツ形状に保持する第１の形状保持手段を設け、この第１の形状保持手段は前記第１のプリーツの表面に備え、前記第２のプリーツをプリーツ形状に保持する第２の形状保持手段を設け、この第２の形状保持手段は前記第２のプリーツの通風路端面部の両側に備え、前記第１のプリーツの通風路端面部の両側と２つの前記第２のプリーツの前記第２の形状保持手段とを連結する連結手段を設け、前記第１のプリーツおよび２つの前記第２のプリーツの側面部の両側を固定する固定手段を備えたエアフィルタ。
【請求項２】
前記第１のプリーツはガラス濾材で、前記第２のプリーツは静電濾材で構成された請求項１に記載のエアフィルタ。
【請求項３】
第１のプリーツの折り目のピッチの長さは、第２のプリーツの折り目のピッチの長さより短く、第１の形状保持手段は、前記第１のプリーツの折り目方向に直交して複数列に塗布された接着剤で形成した請求項１または２のいずれかに記載のエアフィルタ。
【請求項４】
第２のプリーツの折り目方向の長さは、第１のプリーツの折り目方向の長さより短い第２の形状保持手段は、前記第２のプリーツの通風路端面部の両側に接着剤で固定した形状保持枠で形成した請求項１〜３のいずれかに記載のエアフィルタ。
【請求項５】
連結手段は、接着剤で形成し、固定手段は、固定枠と接着剤で形成した請求項１〜４のいずれかに記載のエアフィルタ。
【請求項６】
接着剤はホットメルトやボンドである請求項３〜５のいずれかに記載のエアフィルタ。
【請求項７】
固定手段と形状保持枠とを囲むように固定する外枠部を設け、この外枠部は、折り返し部を備えた請求項１〜６のいずれかに記載のエアフィルタ。
【請求項８】
外枠部の色はダーク系の色である請求項１〜７のいずれかに記載のエアフィルタ。
【発明の詳細な説明】
【技術分野】
【０００１】
本発明は、空気調和機などに組み込まれるエアフィルタに関する。
【背景技術】
【０００２】
従来のこの種のエアフィルタの構成は以下のようになっていた。
【０００３】
すなわち、複数のフィルタエレメントを、同じフィルタホルダに同一平面上に並べて個別に着脱可能に保持し、１つのユニットにしたものであった（例えば、これに類似する先行文献は下記特許文献１に記載されている）。
【特許文献１】特開２００２−２０４９１４号公報
【発明の開示】
【発明が解決しようとする課題】
【０００４】
上記従来例における課題は、エアフィルタのコストが高いということであった。
【０００５】
すなわち、従来の物においては、複数の機能の異なるフィルタをフィルタエレメントとしてフィルタホルダ内に保持しているものであった。つまり、機能の異なるフィルタをそれぞれ個別のフィルタエレメントとして組み上げ、更に、別部品であるフィルタホルダに固定していたので、材料および組み立て工数が増え、エアフィルタのコストが高くなるという問題があった。
【０００６】
そこで本発明は、エアフィルタのコストを低減することを目的とするものである。
【課題を解決するための手段】
【０００７】
そしてこの目的を達成するために本発明は、第１のプリーツと、２つの第２のプリーツとから形成し、前記第１のプリーツをプリーツ形状に保持する第１の形状保持手段を設け、この第１の形状保持手段は前記第１のプリーツの表面に備え、前記第２のプリーツをプリーツ形状に保持する第２の形状保持手段を設け、この第２の形状保持手段は前記第２のプリーツの通風路端面部の両側に備え、前記第１のプリーツの通風路端面部の両側と２つの前記第２のプリーツの前記第２の形状保持手段とを連結する連結手段を設け、前記第１のプリーツおよび２つの前記第２のプリーツの側面部の両側を固定する固定手段を備え、これにより、初期の目的を達成するものである。
【発明の効果】
【０００８】
以上のように本発明は、第１のプリーツと、２つの第２のプリーツとから形成し、前記第１のプリーツをプリーツ形状に保持する第１の形状保持手段を設け、この第１の形状保持手段は前記第１のプリーツの表面に備え、前記第２のプリーツをプリーツ形状に保持する第２の形状保持手段を設け、この第２の形状保持手段は前記第２のプリーツの通風路端面部の両側に備え、前記第１のプリーツの通風路端面部の両側と２つの前記第２のプリーツの前記第２の形状保持手段とを連結する連結手段を設け、前記第１のプリーツおよび２つの前記第２のプリーツの側面部の両側を固定する固定手段を備えたものであり、複数の種類の濾材からなるエアフィルタを安価に提供することができる。
【０００９】
すなわち、第２のプリーツの通風路端面部の両側に、第２のプリーツをプリーツ形状に保持する第２の形状保持手段を設けているので、この第２の形状保持手段が第１のプリーツの通風路端面部の両側と２つの第２のプリーツの第２の形状保持手段とを連結する部分であると共に、エアフィルタの外周部も兼ねているので、材料を削減することができる。
【００１０】
これらの結果により、エアフィルタのコストを低減することができる。
【発明を実施するための最良の形態】
【００１１】
以下、本実施形態を添付図面を用いて説明する。
【００１２】
（実施の形態１）
図１に示すように、本実施形態のエアフィルタ１は、２種類のプリーツであるガラス濾材で構成する第１のプリーツ２と、静電濾材で構成する第２のプリーツ３とが並列に連結し形成されているものである。つまり、空気が流れると第１のプリーツ２または第２のプリーツ３のどちらか一方を通過するものである。
【００１３】
以下に、このエアフィルタ１の組立方法、および構成について説明する。
【００１４】
まず、図２（ａ）に示すように、第１のプリーツ２に使用するガラス濾材をプリーツ形状に折り、第１の形状保持手段４であるプリーツ形状の折り目方向５に直交して複数列に塗布された接着剤Ａ６で、プリーツ形状を保持する。つまり、プリーツ形状の折り目と隣合う折り目との空間に接着剤Ａ６を流し込み、プリーツ形状の折り目と隣合う折り目との所定の距離を維持するものである。また、図２（ｂ）に示すように、第２のプリーツ３に使用する静電濾材をプリーツ形状に折り、第２のプリーツの通風路端面部７の両側を第２の形状保持手段８である接着剤Ｂ９と形状保持枠１０とで固定する。つまり、第２のプリーツの通風路端面部７の両側を接着剤Ｂ９で形状保持枠１０に固定するものである。これにより、ガラス濾材のプリーツ形状の第１のプリーツ２と、静電濾材のプリーツ形状の第２のプリーツ３とが形成される。
【００１５】
なお、第１のプリーツ２と第２のプリーツ３との寸法関係は、プリーツ形状の折り目方向５の長さが、第２のプリーツ３より第１のプリーツ２の方が長いものであり、プリーツ形状の折り目方向５に直交した方向の長さと、プリーツ形状の折り高さ１１が、第１のプリーツ２と第２のプリーツ３とではほぼ同じ長さである。
【００１６】
次に、図２（ｃ）に示すように、この第１のプリーツ２の両側に第２のプリーツ３を連結する。つまり、第１のプリーツの通風路端面部１２の両側と、２つの第２のプリーツ３の一方側の第２の形状保持手段８である形状保持枠１０の外側面部１３とを連結手段１４によって連結する。これにより、横長箱形状の１つの連結プリーツ部材１５となる。この連結手段１４は、２つの第２のプリーツ３の一方側の第２の形状保持手段８である形状保持枠１０の外側面部１３に塗布した接着剤Ｂ９で、その接着剤Ｂ９によって形状保持枠１０と第１のプリーツの通風路端面部１２の両側とを固定するものである。
【００１７】
これにより、第１のプリーツの側面部１６および２つの第２のプリーツの側面部１７が同一面に連結されることとなる。なお、第１のプリーツの側面部１６および２つの第２のプリーツの側面部１７とは、プリーツ形状の折り目方向５と平行な外周側面でプリーツの表面が位置し、第１のプリーツの通風路端面部１２と第２のプリーツの通風路端面部７とは、プリーツ形状の折り目方向５に対して垂直方向の外周側面でプリーツの端面が位置するものである。
【００１８】
最後に、図３（ａ）、（ｂ）に示すように、第１のプリーツの側面部１６および２つの第２のプリーツの側面部１７の両側を固定手段１８によって固定する。この固定手段１８は、２つの固定枠１９と、この固定枠１９に塗布した接着剤Ｂ９とから形成されている。この固定枠１９は、第１のプリーツ２と２つの第２のプリーツ３とが同一面に連結された側面部を覆う横長四角形状である。この固定枠１９に接着剤Ｂ９を塗布し、この接着剤Ｂ９が乾燥しないうちに、第１のプリーツ２および２つの第２のプリーツ３の一方の側面部を押し当て固定する。そして、他方の側面部も同様に、固定枠１９と接着剤Ｂ９とで固定する。
【００１９】
以上の構成において、本実施形態の特徴は、第１のプリーツ２と、２つの第２のプリーツ３とから形成し、前記第１のプリーツ２をプリーツ形状に保持する第１の形状保持手段４を設け、この第１の形状保持手段４は前記第１のプリーツ２の表面に備え、前記第２のプリーツ３をプリーツ形状に保持する第２の形状保持手段８を設け、この第２の形状保持手段８は前記第２のプリーツの通風路端面部７の両側に備え、前記第１のプリーツの通風路端面部１２の両側と２つの前記第２のプリーツ３の前記第２の形状保持手段８とを連結する連結手段１４を設け、前記第１のプリーツ２および２つの前記第２のプリーツ３の両側の側面部を固定する固定手段１８を備えたものである。
【００２０】
すなわち、第２のプリーツの通風路端面部７の両側に、第２のプリーツ３をプリーツ形状に保持する第２の形状保持手段８を設けているので、この第２の形状保持手段８が第１のプリーツの通風路端面部１２の両側と２つの第２のプリーツ３の第２の形状保持手段８とを連結する部分であると共に、エアフィルタ１の外周部も兼ねているので、材料を削減することができる。
【００２１】
これらの結果により、エアフィルタのコストを低減することができる。
【００２２】
また、第１のプリーツ２に使用する濾材はガラス濾材で、第２のプリーツ３に使用する濾材は静電濾材で構成されたものである。具体的には、第１のプリーツ２に使用する濾材はガラス繊維とバインダーから成るものである。第２のプリーツ３に使用する濾材は基材部分の層と帯電加工した層から成るものである。
【００２３】
すなわち、静電濾材はガラス濾材より分厚く、硬いため濾材自体に強度があり、第１のプリーツ２の両側に第２のプリーツ３を固定することにより、１つの第１のプリーツ２と２つの第２のプリーツ３とを連結した連結プリーツ部材１５の外側が、内側に比べて丈夫になる。つまり、新たな補強部品を設けること無く、連結プリーツ部材１５の強度を向上することができる。
【００２４】
また、図２（ａ）に示すように、第１のプリーツ２のプリーツ形状の折り目ピッチの長さは、第２のプリーツ３のプリーツ形状の折り目ピッチの長さより短く、第１の形状保持手段４は、第１のプリーツ２のプリーツ形状の折り目方向５に直交して複数列に塗布された接着剤で形成したものである。具体的には、第１のプリーツ２に使用するガラス濾材をプリーツ形状に折り、複数の第１の形状保持手段４であるプリーツ形状の折り目方向５に直交して複数列に塗布された接着剤Ａ６で、プリーツ形状を保持するものである。
【００２５】
すなわち、第１のプリーツ２に使用するガラス濾材は第２のプリーツ３に使用する静電濾材より薄く、濾材の弾力性で劣るものであるが、第２のプリーツ３に使用する静電濾材でのプリーツ形状の折り目ピッチの長さより短いピッチで第１のプリーツ２に使用するガラス濾材を折り、第１の形状保持手段４である複数列に塗布された接着剤Ａ６で、プリーツ形状を保持するので、新たな補強部品を設けること無く、プリーツ形状としての第１のプリーツ２の強度を向上することが出来る。
【００２６】
また、図２（ｂ）、（ｃ）に示すように、第２のプリーツ３のプリーツ形状の折り目方向５の長さは、第１のプリーツ２のプリーツ形状の折り目方向５の長さより短く、第２の形状保持手段８は、第２のプリーツの通風路端面部７の両側に接着剤Ｂ９で固定した形状保持枠１０で形成したものである。具体的には、第１のプリーツ２の両側に第２のプリーツ３を連結し、横長箱形状の１つの連結プリーツ部材１５となっている。ここで、第２のプリーツ３でのプリーツ形状の折り目方向５は、第１のプリーツ２でのプリーツ形状の折り目方向５と同じであるが、第２のプリーツ３でのプリーツ形状の折り目方向５の長さは、第１のプリーツ２でのプリーツ形状の折り目方向５の長さより短いものである。例えば、第１のプリーツ２でのプリーツ形状の折り目方向５の長さと、第２のプリーツ３でのプリーツ形状の折り目方向５の長さとの比は、約５対１である。そして、プリーツ形状の折り目方向５の長さが短い第２のプリーツ３でのプリーツ形状を保持する第２の形状保持手段８を、第２のプリーツの通風路端面部７の両側に接着剤Ｂ９で固定した形状保持枠１０で形成したものである。
【００２７】
すなわち、第２のプリーツ３でのプリーツ形状の折り目方向５の長さは、第１のプリーツ２でのプリーツ形状の折り目方向５の長さより短く、第２のプリーツ３に使用する静電濾材は第１のプリーツ２に使用するガラス濾材より分厚く、濾材に弾力性があるので、例えば、第１の形状保持手段４のように複数列に塗布された接着剤Ａ６を、プリーツ形状の折り目と隣合う折り目との空間に流し込み、プリーツ形状の折り目と隣合う折り目との所定の距離を維持し、プリーツ形状を保持するのではなく、第２のプリーツの通風路端面部７の両側を接着剤Ｂ９で形状保持枠１０に固定することにより、第２のプリーツ３でのプリーツ形状を保持することができる。結果として、第１の形状保持手段４のように複数列に塗布された接着剤Ａ６を、プリーツ形状の折り目と隣合う折り目との空間に流し込む作業が無いので、組立工数を低減することができる。
【００２８】
また、図２（ｂ）、（ｃ）および図３に示すように、連結手段１４は、接着剤Ｂ９で形成し、固定手段１８は、固定枠１９と接着剤Ｂ９で形成したものである。具体的には、連結手段１４は、第１のプリーツ２の両側に第２のプリーツ３を連結する。つまり、第１のプリーツの通風路端面部１２の両側と、２つの第２のプリーツ３の一方側の第２の形状保持手段８である形状保持枠１０の外側面部１３とを連結手段１４によって連結する。これにより、横長箱形状の１つの連結プリーツ部材１５となる。この連結手段１４は、２つの第２のプリーツ３の一方側の第２の形状保持手段８である形状保持枠１０の外側面部１３に塗布した接着剤Ｂ９で、その接着剤Ｂ９によって形状保持枠１０と第１のプリーツの通風路端面部１２の両側とを固定するものである。そして、固定手段１８は、連結プリーツ部材１５である第１のプリーツの側面部１６および２つの第２のプリーツの側面部１７の両側を固定手段１８によって固定する。この固定手段１８は、２つの固定枠１９と、この第１のプリーツ２と２つの第２のプリーツ３とが同一面に連結された側面部とから形成されている。この固定枠１９は、第１のプリーツ２と２つの第２のプリーツ３とが同一面に連結された側面部を覆う横長四角形状である。この固定枠１９に接着剤Ｂ９を塗布し、この接着剤Ｂ９が乾燥しないうちに、第１のプリーツ２と２つの第２のプリーツ３の一方の側面部を押し当て固定する。そして、他方の側面部も同様に、固定枠１９接着剤Ｂ９とで固定するものである。
【００２９】
すなわち、第１のプリーツの通風路端面部１２の両側と、２つの第２のプリーツ３の一方側の第２の形状保持手段８である形状保持枠１０の外側面部１３とを接着剤Ｂ９で固定し、第１のプリーツ２と２つの第２のプリーツ３とが同一面に連結された側面部を接着剤Ｂ９を塗布した固定枠１９で固定するので、どちらも接着剤Ｂ９で固定するので、隙間無く確実に固定することができる。
【００３０】
なお、第２の形状保持手段８である形状保持枠１０の外側面部１３は不職布やパッキンなどが付いたものであれば、第１のプリーツの通風路端面部１２の両側との連結に接着剤Ｂ９を必要としなくなり、より材料と工数低減が可能となる。
【００３１】
なお、第１のプリーツの通風路端面部１２の両側にも第２の形状保持手段８のような形状保持枠１０を貼り付けてもよい。
【００３２】
なお、第１のプリーツ２と２つの第２のプリーツ３の側面部を片側につき１枚の固定枠１９にて固定する、すなわち同時に固定するとしているが、第１のプリーツの側面部１６あるいは第２のプリーツの側面部１７を別々の固定枠１９にて固定してもよい。
【００３３】
また、接着剤Ｂ９はホットメルトやボンドなどである。これにより、接着剤Ｂ９の乾燥時間を調整できるので、更に、隙間無く確実に固定することができる。
【００３４】
また、図４に示すように、固定手段１８と形状保持枠１０とを囲むように固定する外枠部２０を設け、この外枠部２０は、折り返し部２１を備えたものである。具体的には、連結プリーツ部材１５の側周部、つまり連結プリーツ部材１５である第１のプリーツの側面部１６および第２のプリーツの側面部１７の両側を固定する固定手段１８と、第２のプリーツの通風路端面部７の両側を接着剤Ｂ９で固定する形状保持枠１０の一方とを外枠部２０で囲むように固定するものである。この外枠部２０には折り返し部２１を備え、この折り返し部２１は、連結プリーツ部材１５である第１のプリーツ２および第２のプリーツ３と、固定手段１８および形状保持枠１０の一方とからなる辺部を覆うものである。
【００３５】
すなわち、外枠部２０の折り返し部２１は、第１のプリーツ２および第２のプリーツ３と、固定手段１８および形状保持枠１０の一方とからなる辺部を覆うので、この辺部から接着剤Ｂ９が溢れている場合にも、その接着剤Ｂ９を外枠部２０の折り返し部２１が覆い隠すので、接着剤Ｂ９の量がばらつき、隙間ができた場合にも、その隙間でのリークを低減することができる。
【００３６】
また、外枠部２０の色はダーク系の色である。具体的には、外枠部２０の色は黒色である。これにより、外枠部２０は黒色でありプリーツ部は白色であるため境界が視覚的に明確になり、組立時に誤ってプリーツ部を触るのを防止することができる。
【産業上の利用可能性】
【００３７】
以上のように本発明は、第１のプリーツと、２つの第２のプリーツとから形成し、前記第１のプリーツをプリーツ形状に保持する第１の形状保持手段を設け、この第１の形状保持手段は前記第１のプリーツの表面に備え、前記第２のプリーツをプリーツ形状に保持する第２の形状保持手段を設け、この第２の形状保持手段は前記第２のプリーツの通風路端面部の両側に備え、前記第１のプリーツの通風路端面部の両側と２つの前記第２のプリーツの前記第２の形状保持手段とを連結する連結手段を設け、前記第１のプリーツおよび２つの前記第２のプリーツの両側の側面部を固定する固定手段を備えたものであり、複数の種類のプリーツからなるエアフィルタを安価に提供することができる。
【００３８】
すなわち、第２のプリーツの通風路端面部の両側に、第２のプリーツをプリーツ形状に保持する第２の形状保持手段を設けているので、この第２の形状保持手段が第１のプリーツの通風路端面部の両側と２つの第２のプリーツの第２の形状保持手段とを連結する部分であると共に、エアフィルタの外周部も兼ねているので、材料を削減することができる。
【００３９】
これらの結果により、エアフィルタのコストを低減することができる。
【００４０】
従って、家庭用や事務所用などの、空気調和機などに組み込まれるエアフィルタして活用が期待されるものである。
【図面の簡単な説明】
【００４１】
【図１】本発明の実施の形態１のエアフィルタの概略図
【図２】本発明の実施の形態１のエアフィルタの概略図（（ａ）同エアフィルタの概略図、（ｂ）同エアフィルタの概略図、（ｃ）同エアフィルタの概略図、）
【図３】本発明の実施の形態１のエアフィルタを示す図（（ａ）同エアフィルタの概略図、（ｂ）同エアフィルタの概略図）
【図４】本発明の実施の形態１のエアフィルタを示す図（（ａ）同エアフィルタの概略図、（ｂ）同エアフィルタの概略図）
【符号の説明】
【００４２】
１    エアフィルタ
２    第１のプリーツ
３    第２のプリーツ
４    第１の形状保持手段
５    折り目方向
６    接着剤Ａ
７    第２のプリーツの通風路端面部
８    第２の形状保持手段
９    接着剤Ｂ
１０  形状保持枠
１１  折り高さ
１２  第１のプリーツの通風路端面部
１３  外側面部
１４  連結手段
１５  連結プリーツ部材
１６  第１のプリーツの側面部
１７  第２のプリーツの側面部
１８  固定手段
１９  固定枠
２０  外枠部
２１  折り返し部
【図１】
2010214269.tif 000003
【図２】
2010214269.tif 000004
【図３】
2010214269.tif 000005
【図４】
2010214269.tif 000006